(57)【要約】  【課題】生体インピーダンス測定により、従来よりも、さらに精度良く内臓脂肪を測定できる体脂肪測定装置を提供する。  【解決手段】手用電流電極ＤＩＨＲ・ＤＩＨＬと足用電流電極ＤＩＬＲ・ＤＩＬＬ間に定電流を通電し、腹部に配置した環状の電圧電極ＤＥ１と腰部に配置した電圧電極ＤＥ２，ＤＥ３間より得た検出電圧から腹部インピーダンスを求め、へそ位置に互いに短い間隔で電流電極ＤＩ３・ＤＩ４、電圧電極ＤＥ４・ＤＥ５を配置し、電流電極ＤＩ３とＤＩ４間に定電流を通電し、電圧電極ＤＥ４とＤＥ５間から得た検出電圧から腹部皮下近傍のインピーダンスを求め、腹部インピーダンス、腹部皮下近傍のインピーダンスと入力した体格情報とから内臓インピーダンスを算出する。【選択図】図１
2006271745.tif 000002
【特許請求の範囲】
【請求項１】
被測定体の腹部から離れた位置に配置された第１の複数の電流電極と、前記被測定体の腹部に配置された第１の複数の電圧電極と、前記第１の電流電極に電流を流し、前記第１の電圧電極間の電位差から第１の腹部のインピーダンスを測定する手段と、
前記被測定体の腹部に、該腹部の周長に対して十分短い間隔で配置された第２の複数の電流電極と、前記被測定体の腹部に、該腹部の周長に対して十分短い間隔で配置された第２の複数の電圧電極と、前記第２の電流電極に電流を流し、前記第２の電圧電極間の電位差から第２の腹部のインピーダンスを測定する手段と、
前記第１の腹部のインピーダンスと、前記第２の腹部のインピーダンスと、被測定体の大きさを反映する特性量とから前記被測定体の体脂肪を算出する体脂肪算出手段とを備えることを特徴とする体脂肪測定装置。
【請求項２】
前記第１の複数の電圧電極は、少なくとも１つが環状の電極あることを特徴とする請求項１記載の体脂肪測定装置。
【請求項３】
前記第１の腹部のインピーダンスは、複数の測定値であり、前記複数の測定値の平均値を算出し、該平均値を前記第１の腹部のインピーダンスとするインピーダンス算出手段とをさらに備えることを特徴とする請求項１又は請求項２記載の体脂肪測定装置
【請求項４】
前記第２の腹部のインピーダンスは、複数の測定値であり、前記複数の測定値の平均値を算出し、該平均値を前記第２の腹部のインピーダンスとするインピーダンス算出手段とをさらに備えることを特徴とする請求項１、請求項２、又は請求項３記載の体脂肪測定装置。
【請求項５】
前記第１の複数の電流電極は、四肢に配置されることを特徴とする請求項１、請求項2、請求項3又は請求項４記載の体脂肪測定装置。
【請求項６】
前記第２の複数の電流電極及び前記第２の複数の電圧電極は、前記被測定体の臍位置近傍の高さに配置されることを特徴とする請求項１、請求項2、請求項3、請求項4又は請求項５記載の体脂肪測定装置。
【請求項７】
前記被測定体の大きさを反映する特性量は、前記被測定体の身長、体重、腹部周長の少なくとも１つを含むことを特徴とする請求項１、請求項2、請求項3、請求項4、請求項５又は請求項６記載の体脂肪測定装置。
【請求項８】
前記被測定体の体脂肪は、体脂肪面積、体脂肪体積、皮下脂肪面積、皮下脂肪体積、内臓脂肪面積、内臓脂肪体積の少なくとも１つを含むことを特徴とする請求項１、請求項2、請求項3、請求項4、請求項５、請求項６又は請求項７の体脂肪測定装置。
【請求項９】
前記被測定体の体脂肪を表示する手段をさらに備えることを特徴とする請求項１、請求項１、請求項2、請求項3、請求項4、請求項５、請求項６、請求項７又は請求項８記載の体脂肪測定装置。
【発明の詳細な説明】
【技術分野】
【０００１】
この発明は、体脂肪測定装置、特に内臓脂肪を精度よく測定できる体脂肪測定装置に関する。
【背景技術】
【０００２】
近年、内臓脂肪を測定する方法として、Ｘ線ＣＴ，ＭＲＩ等を用いて腹部断層画像を撮影し、その断層画像に占める脂肪領域の面積を求める方法が知られている。また、他の方法として、腹部の背中と臍部に一対の電流電極を配置し、脇腹に検出用の一対の電圧電極を配置し、この電流電極間に通電した時の電圧電極間の検出電圧より腹部生体インピーダンスを求め、この生体インピーダンスから内臓脂肪を求める方法が開示されている（例えば特許文献１、特許文献２、非特許文献１参照）。また、生体インピーダンス測定による生体脂肪測定の方法として、四肢に電流電極を配置し、この電流電極間に通電し、一対の電圧電極を、四肢に設けた電流電極間の任意の２点に配置し、任意の２点間のインピーダンスを求める方法が開示されている（例えば特許文献３参照）
【特許文献１】特許第３３９６６７２号公報
【特許文献２】特許第３３９６６７７号公報
【特許文献３】ＵＳＰ５３３５６６７明細書
【非特許文献１】腹部生体インピーダンス法による内臓脂肪測定法の開発」肥満研究Ｖ０Ｌ９、ナンバー２ ２００３
【発明の開示】
【発明が解決しようとする課題】
【０００３】
上記した、内臓脂肪測定方法のうち、Ｘ線ＣＴや、ＭＲＩによる腹部断層画像を用いる方法は、装置が大型であり、その設備を備えた医療機関でしか内臓脂肪を測定できず、手軽にどこでも測定できない、という問題がある。また、特許文献１，２及び非特許文献１に記載の生体インピーダン測定法による内臓脂肪測定方法は、測定原理として、内臓脂肪が腹部中央に塊として存在していることを前提としているが、実際の人体の中の内臓脂肪は腸間膜に張り付いており、１つの塊というよりある程度分散して存在している。そのため、正確に測定できない場合もある。また、四肢のように組織が単純な形状であれば、特許文献３のように、２点間の測定で可能であるが、腹部のインピーダンスは、皮下及び内部脂肪の分布の影響を受けるため、２点間の測定のみでは、内臓脂肪を正確に測定できないという問題がある。
【０００４】
この発明は、上記問題点に着目されてなされたものであって、従来より、さらに精度良く内臓脂肪を測定できる体脂肪測定装置を提供することを目的とする。
【課題を解決するための手段】
【０００５】
この発明の体脂肪測定装置は、上記目的を達成するために、被測定体の腹部から離れた位置に配置された第１の複数の電流電極と、前記被測定体の腹部に配置された第１の複数の電圧電極と、前記第１の電流電極に電流を流し、前記第１の電圧電極間の電位差から第１の腹部のインピーダンスを測定する手段と、前記被測定体の腹部に、該腹部の周長に対して十分短い間隔で配置された第２の複数の電流電極と、前記被測定体の腹部に、該腹部の周長に対して十分短い間隔で配置された第２の複数の電圧電極と、前記第２の電流電極に電流を流し、前記第２の電圧電極間の電位差から第２の腹部のインピーダンスを測定する手段と、前記第１の腹部のインピーダンスと、前記第２の腹部のインピーダンスと、被測定体の大きさを反映する特性量とから前記被測定体の体脂肪を算出する体脂肪算出手段とを備える。
【０００６】
この発明の体脂肪測定装置において、前記第１の複数の電圧電極は、少なくとも１つを環状の電極とすることが望ましい。
【０００７】
また、この発明の体脂肪測定装置において、前記第１の腹部のインピーダンスは、複数の測定値であり、前記複数の測定値の平均値を算出し、該平均値を前記第１の腹部のインピーダンスとするインピーダンス算出手段とをさらに備えることが望ましい。
【０００８】
また、この発明の体脂肪測定装置において、前記第２の腹部のインピーダンスは、複数の測定値であり、前記複数の測定値の平均値を算出し、該平均値を前記第２の腹部のインピーダンスとするインピーダンス算出手段とをさらに備えることが望ましい。
【０００９】
また、この発明の体脂肪測定装置において、前記第１の複数の電流電極は、四肢に配置されるとよい。
【００１０】
また、この発明の体脂肪測定装置において、前記第２の複数の電流電極及び前記第２の複数の電圧電極は、前記被測定体の臍位置近傍の高さに配置されることが望ましい。
【００１１】
また、この発明の体脂肪測定装置において、前記被測定体の大きさを反映する特性量は、前記被測定体の身長、体重、腹部周長の少なくとも1つを含むことが望ましい。
【００１２】
また、この発明の体脂肪測定装置において、前記被測定体の体脂肪は、体脂肪面積、体脂肪体積、皮下脂肪面積、皮下脂肪体積、内臓脂肪面積、内臓脂肪体積の少なくとも１つを含むことと、できる。
【００１３】
また、この発明の体脂肪測定装置において、前記被測定体の体脂肪を表示する手段をさらに備えることができる。
【発明の効果】
【００１４】
この発明によれば、腹部を測定する電流電極を腹部から離れた位置に配置し、腹部を測定する環状の、または複数の電圧電極を腹部に配置して腹部のインピーダンスを測定するので表面に表れる電位分布を平均化し、腹部内部の脂肪の分布による電位分布のばらつきを押さえ、腹部脂肪を正確に測定できる。腹部の皮下近傍を測定する電流電極・電圧電極を十分短い距離にて配置することで皮下脂肪のみのインピーダンスを測定できるので、腹部皮下近傍の脂肪の影響を求めることが出来る。そして腹部のインピーダンス、腹部皮下脂肪のインピーダンスと、被測定者の身長、体重、腹部周長から、内臓脂肪を正確に測定できる。
【発明を実施するための最良の形態】
【００１５】
以下、実施の形態により、この発明を、さらに詳細に説明する。図1は、この発明の一実施形態を示す体脂肪測定装置を説明する概略図である。この実施形態体脂肪測定装置は、体脂肪測定装置本体部１と、この体脂肪測定装置本体部１に接続される複数の電極とから構成されている。複数の電極は、右手用電流電極ＤＩＨＲ、左手用電流電極ＤＩＨＬ、右足用電流電極ＤＩＬＲ、左足用電流電極ＤＩＬＬ、環状の電圧電極ＤＥ１、その他の電圧電極ＤＥ２，ＤＥ３，ＤＥ４，ＤＥ５、その他の電流電極ＤＩ３，ＤＩ４である。
【００１６】
この実施形態体脂肪測定装置において、内臓脂肪を測定する場合に、右手用電流電極ＤＩＨＲ、左手用電流電極ＤＩＨＬ、右足用電流電極ＤＩＬＲ、左足用電流電極ＤＩＬＬ、は、点状の電極であり、被測定部である腹部から遠く離して、各手足に接続される。環状の電圧電極ＤＥ１は、腹部情報の胴周りに配置され、電圧電極ＤＥ２，ＤＥ３は、点状の電極であり、環状の電圧電極ＤＥ１から離れて腹部下方の右腰と左腰（鳩尾、腰骨）に配置される。点状の電流電極ＤＩ３，ＤＩ４は、その間に点状の電圧電極ＤＥ４，ＤＥ５を挟み、環状の電圧電極ＤＥ１と電圧電極ＤＥ２，ＤＥ３との間の腹部（へそ位置）に横方向に直線状に互いに短い間隔をおいて配置される。
【００１７】
図２は、この実施形態体脂肪測定装置の回路接続を示す回路図である。体脂肪測定装置本体部１は、被検者情報入力部１１と、演算制御部１２と、定電流発生部１３と、電圧検出部１４と、電極切替部１５と、表示部１６とを、備えている。
【００１８】
被検者情報入力部１１は、図３に示すように、測定開始ボタン２２、測定中止ボタン２３、テンキー２４を備え、例えば、被検者の身長、体重、へそ位置周長を入力する。演算制御部１２は、内蔵のプログラムにしたがい、測定の進行に応じ、電極を切り替え、生体インピーダンスの測定、および体脂肪の算出などの演算制御を行う。定電流発生部１３は、高周波の定電流を発生し、２つの電流電極を通して、生体に通電する。電圧検出部１４は、通電されている２つの電流電極間に配置されている２つの電圧電極間の電圧を検出する。この電圧検出部１４より、検出される電圧と、通電されている定電流値により、電圧電極間の生体インピーダンスが算出できる。
【００１９】
電極切替部１５は、複数のスイッチＳＷ１ａ、ＳＷ１ｂ、・・・、ＳＷ４を、備え、演算制御部１２からの制御により、定電流発生部１３と電圧検出部１４に接続される電極を切り替える。スイッチＳＷ２ａとスイッチＳＷ２ｂのコモン端子が定電流発生部１３の出力端子の一端と他端に接続されている。また、スイッチＳＷ３ａのコモン端子が電圧検出部１４の入力の一端に、スイッチＳＷ３ｂ，ＳＷ３ｃのコモン端子が電圧検出部１４の入力の他端に接続されている。右手用電流電極ＤＩＨＲはスイッチＳＷ２ａのａ端子に接続され、右足用電流電極ＤＩＬＲがスイッチＳＷ２ｂのａ端子に接続されている。また左手用電流電極ＤＩＨＬはスイッチＳＷ１ａを介して右手用電流電極ＤＩＨＲに接続され、左足用電流電極ＤＩＬＬは、スイッチＳＷ１ｂを介して右足用電流電極ＤＩＬＲに接続されている。
【００２０】
電流電極ＤＩ３は、スイッチＳＷ２ａのｂ端子に、電流電極ＤＩ４は、スイッチＳＷ２ｂのｂ端子に、それぞれ接続されている。スイッチＳＷ３ａ及びスイッチＳＷ３ｂのａ端子は環状の電圧電極ＤＥ１に接続され、スイッチＳＷ３ａのｂ端子は電圧電極ＤＥ４に接続され、スイッチＳＷ３ｂのｂ端子は電圧電極ＤＥ５に接続されている。
【００２１】
電圧電極ＤＥ２は、スイッチＳＷ４のａ端子を介してスイッチＳＷ３ｃのａ端子に接続され、電圧電極ＤＥ３は、スイッチＳＷ４のｂ端子を介してスイッチＳＷ３ｃのａ端子に接続されている。スイッチＳＷ３ｃのｂ端子は、開放されている。
【００２２】
表示部１６は、入力された被検者(患者)の身長、体重、へそ位置周長などの体格特性を表示する体格特性表示部１６ａと、体脂肪面積、内臓体脂肪面積、皮下脂肪面積などの測定結果を表示する測定表示部１６ｂを有する。
【００２３】
次に、この実施形態体脂肪測定装置における体脂肪測定処理を、図４〜図６に示すフロー図を参照して説明する。電源ボタン２１がＯＮされ、動作がスタートすると、ステップＳＴ１において、演算制御部１２内の記憶部のクリア等の測定回路の初期化を行う。次にステップＳＴ２へ移行する。ステップＳＴ２においては、被検者情報入力部１１よりの、体重、身長、へそ位置周長などの被測定体の大きさを反映する特性量を受付、演算制御部１２の記憶部に記憶する。続いて、ステップＳＴ３へ移行する。
【００２４】
ステップＳＴ３においては、被検者が測定開始ボタン２２を操作するのを受け付ける。そして、ステップＳＴ４へ移行する。ステップＳＴ４においては、入力された体格情報が予め記憶する正常範囲にあるか否かを判定する。極端な異常値などで、正常範囲でない場合は、ステップＳＴ９へ移行し、エラー表示する。一方正常範囲の場合は、ステップＳＴ５へ移行する。
【００２５】
ステップＳＴ５においては、電極設定１の処理を行う。具体的にはスイッチＳＷ１ａとスイッチＳＷ１ｂをＯＮして、右手用電流電極ＤＩＨＲと左手用電流電極ＤＩＨＬを短絡し、右足用電流電極ＤＩＬＲと左足用電流電極ＤＩＬＬを短絡する。また、スイッチＳＷ２ａ，ＳＷ２ｂ，ＳＷ３ａをａ端子に投入し、スイッチＳＷ３ｃ，ＳＷ４もａ端子に投入する。これで、手用電流電極ＤＩＨＲ，ＤＩＨＬと足用電流電極ＤＩＬＲ，ＤＩＬＬ間に定電流発生部１３が接続され、環状の電圧電極ＤＥ１と右腰の電圧電極ＤＥ２が電圧検出部１４に接続されたことになる。これにより、手用電流電極ＤＩＨＲ，ＤＩＨＬと足用電流電極ＤＩＬＲ，ＤＩＬＬ間に定電流が流れ、環状の電圧電極ＤＥ１と右腰の電圧電極ＤＥ２間の電圧が、電圧検出部１４で検出され、腹部の生体インピーダンスが算出される。次にステップＳＴ６へ移行する。
【００２６】
ステップＳＴ６においては、所定時間内にインピーダンス値が所定範囲になったか否かを判定する。所定時間内にインピーダンス値が所定範囲にならない場合は、適正な測定がなされていないことになり、この場合は、ステップＳＴ１０へ移行し、エラー表示する。一方、インピーダンス値が所定範囲になった場合は、適正な測定が進行しているものとして、次にステップＳＴ７へ移行する。
【００２７】
ステップＳＴ７においては、所定時間内にインピーダンス値が安定したか否かを判定する。インピーダンスが安定しない場合は、ステップＳＴ１１へ移行し,エラー表示する。一方、インピーダンスが安定した場合は、ステップＳＴ８へ移行する。ステップＳＴ８においては、環状の電圧電極ＤＥ１と右腰電圧電極ＤＥ２間のインピーダンスＺｒｉｇｈｔを確定し、演算制御部１２の記憶部に記憶する。続いてステップＳＴ１２へ移行する。
【００２８】
ステップＳＴ１２においては、電極設定２の処理を行う。具体的にはスイッチＳＷ１ａとスイッチＳＷ１ｂをＯＮして、右手用電流電極ＤＩＨＲと左手用電流電極ＤＩＨＬを短絡し、右足用電流電極ＤＩＬＲと左足用電流電極ＤＩＬＬを短絡する。また、スイッチＳＷ２ａ，ＳＷ２ｂ，ＳＷ３ａをａ端子に投入し、スイッチＳＷ３ｃをａ端子に投入し、スイッチＳＷ４をｂ端子に投入する。これで、手用電流電極ＤＩＨＲ，ＤＩＨＬと足用電流電極ＤＩＬＲ，ＤＩＬＬ間に定電流発生部１３が接続され、環状の電圧電極ＤＥ１と左腰の電圧電極ＤＥ３が電圧検出部１４に接続されたことになる。これにより、手用電流電極ＤＩＨＲ，ＤＩＨＬと足用電流電極ＤＩＬＲ，ＤＩＬＬ間に定電流が流れ、環状の電圧電極ＤＥ１と左腰の電圧電極ＤＥ３間の電圧が、電圧検出部１４で検出され、腹部の生体インピーダンスが算出される。次にステップＳＴ１３へ移行する。
【００２９】
ステップＳＴ１３においては、所定時間内にインピーダンス値が所定範囲になったか否かを判定する。所定時間内にインピーダンス値が所定範囲にならない場合は、適正な測定がなされていないことになり、この場合は、ステップＳＴ１６へ移行し、エラー表示する。一方、インピーダンス値が所定範囲になった場合は、適正な測定が進行しているものとして、次にステップＳＴ１４へ移行する。
【００３０】
ステップＳＴ１４においては、所定時間内にインピーダンス値が安定したか否かを判定する。安定しない場合は、ステップＳＴ１７へ移行し,エラー表示する。一方、インピーダンスが安定した場合は、ステップＳＴ１５へ移行する。ステップＳＴ１５においては、環状の電圧電極ＤＥ１と左腰電圧電極ＤＥ３間のインピーダンスＺｌｅｆｔを確定し、演算制御部１２の記憶部に記憶する。続いてステップＳＴ１８へ移行する。
【００３１】
ステップＳＴ１８においては、電極設定３の処理を行う。ここでは、腹部１、腹部４の電流電極、及び腹部２、腹部３の電圧電極を選択する。具体的にはスイッチＳＷ２ａとスイッチＳＷ２ｂを、それぞれｂ端子に投入し、スイッチＳＷ３ａ，ＳＷ３ｂ，ＳＷ３ｃをｂ端子に投入する。これで、腹部の電流電極ＤＩ３とＤＩ４に定電流発生部１３が接続され、腹部の電圧電極ＤＥ４とＤＥ５が電圧検出部１４に接続されたことになる。これにより、腹部の電流電極ＤＩ３とＤＩ４に定電流が流れ、腹部の電圧電極ＤＥ４とＤＥ５の電圧が、電圧検出部１４で検出され、腹部近傍の生体皮下インピーダンスが算出される。次にステップＳＴ１９へ移行する。
【００３２】
ステップＳＴ１９においては、所定時間内にインピーダンス値が所定範囲になったか否かを判定する。所定時間内にインピーダンス値が所定範囲にならない場合は、適正な測定がなされていないことになり、この場合は、ステップＳＴ２４へ移行し、エラー表示する。一方、インピーダンス値が所定範囲になった場合は、適正な測定が進行しているものとして、次にステップＳＴ２０へ移行する。
【００３３】
ステップＳＴ２０においては、所定時間内にインピーダンス値が安定したか否かを判定する。安定しない場合は、ステップＳＴ２５へ移行し,エラー表示する。一方、インピーダンスが安定した場合は、ステップＳＴ２１へ移行する。ステップＳＴ２１においては、腹部近傍のインピーダンスＺｓを確定する。次にステップＳＴ２２へ移行する。ステップＳＴ２２においては、次式を演算制御部１２で演算して、内臓脂肪面積及び体脂肪面積、皮下脂肪面積を算出する。
【００３４】
内臓脂肪面積＝Ａ＊Ｚｂｏｄｙ＊Ｓ／Ｌ―Ｂ＊Ｚｓ＊Ｒ＋Ｃ
体脂肪面積＝Ｄ＊Ｚｂｏｄｙ＊Ｓ／Ｌ＋Ｅ
皮下脂肪面積＝Ｆ＊Ｚｓ＊Ｒ＋Ｇ
ここで
Ｚｂｏｄｙ：環状・右腰間インピーダンスＺｒｉｇｈｔと環状・左腰間インピーダンスＺｌｅｆｔの平均値
Ｒ：ウエスト長
Ｓ：ウエスト長を円の周長としたときの面積
Ｌ：環状電極と左右腰電極との垂直方向距離
Ａ，Ｂ，Ｃ，Ｄ，Ｅ，Ｆ，Ｇ：係数
次にステップＳＴ２３へ移行する。ステップＳＴ２３においては、体脂肪面積、内臓脂肪面積、皮下脂肪面積を表示部１６に表示する。表示例を図３に示す。なお、ここでは、体脂肪を面積で求め表示しているが、体脂肪体積、内臓脂肪体積、皮下脂肪体積を求め、表示してもよい。
【００３５】
この発明の他の実施形態として、図７に示す電極を備え、ここに示す電極配置の体脂肪測定装置としてもよい。この実施形態では、右手用電流電極ＤＩＨＲ、左手用電流電極ＤＩＨＬ、右足用電流電極ＤＩＬＲ、左足用電流電極ＤＩＬＬは、図１の場合と同様である。図１の環状の電圧電極ＤＥ１と同様の位置に３個の点状の電圧電極ＤＥ１ａ，ＤＥ１ｂ，ＤＥ１ｃが水平方向に間隔を置いて配置され、また、図１の左右腰位置の電圧電極ＤＥ２，ＤＥ３と同高さ腰位置に３個の電圧電極ＤＥ２ａ，ＤＥ２ｂ，ＤＥ２ｃが配置されている。腹部に配置される電流電極ＤＩ３，ＤＩ４および電圧電極ＤＥ４，ＤＥ５は図１のものと同様である。
【００３６】
この実施形態では、短絡した右手電流電極ＤＩＨＲ、左手電流電極ＤＩＨＬと、短絡した右足電流電極ＤＩＬＲ、左足電流電極ＤＩＬＬ間に定電流を通電し、電圧電極ＤＥ１ａとＤＥ２ａ間、電圧電極ＤＥ１ｂとＤＥ２ｂ間、電圧電極ＤＥ１ｃとＤＥ２ｃ間のそれぞれの電圧を個別に検出し、それぞれのインピーダンスを求め、平均を取り、皮下脂肪と内臓脂肪を含めた腹部の体脂肪面積（体積）を求める。
【００３７】
この発明の更に他の実施形態として、図８に示す電極を備え、ここに示す電極配置の体脂肪測定装置としてもよい。この実施形態では、右手用電流電極ＤＩＨＲ、左手用電流電極ＤＩＨＬ、右足用電流電極ＤＩＬＲ、左足用電流電極ＤＩＬＬは、図１の場合と同様である。図１の右腰に配置した電圧電極ＤＥ２、左腰に配置した電圧電極ＤＥ３と同様の位置に環状の電極ＤＥ２を水平方向に配置した点で、図１、図７と相違する。腹部上方に設けた環状の電圧電極ＤＥ１、腹部に配置される電流電極ＤＩ３，ＤＩ４および電圧電極ＤＥ４，ＤＥ５は図１のものと同様である。
【００３８】
この実施形態では、短絡した右手用電流電極ＤＩＨＲ、左手用電流電極ＤＩＨＬと、短絡した右足用電流電極ＤＩＬＲ、左足用電流電極ＤＩＬＬ間に定電流を通電し、環状の電圧電極ＤＥ１と環状の電圧電極ＤＥ２間の電圧を検出し、腹部のトータル的なインピーダンスを求め、皮下脂肪と内臓脂肪を含めた腹部の体脂肪面積（体積）を求める。
【図面の簡単な説明】
【００３９】
【図１】この発明の一実施形態体脂肪測定装置の概要を説明する図である。
【図２】同実施形態体脂肪測定装置の回路構成を示す回路図である。
【図３】同実施形態体脂肪測定装置の操作部及び表示部を示す図である。
【図４】同実施形態体脂肪測定装置の測定処理動作を説明するフロー図である。
【図５】図４とともに同実施形態体脂肪測定装置の測定処理動作を説明するフロー図である。
【図６】図４、図５とともに同実施形態体脂肪測定装置の測定処理動作を説明するフロー図である。
【図７】この発明の他の実施形態体脂肪測定装置の概要を説明する図である。
【図８】この発明の、さらに他の実施形態体脂肪測定装置の概要を説明する図である。
【符号の説明】
【００４０】
１                体脂肪測定装置本体部
１１              被検者情報入力部
１２              演算制御部
１３              定電流発生部
１４              電圧検出部
１５              電極切替部
１６              表示部
ＤＩＨＲ          右手用電流電極
ＤＩＨＬ          左手用電流電極
ＤＩＬＲ          右足用電流電極
ＤＩＬＬ          左足用電流電極
ＤＥ１            環状の電圧電極
ＤＥ２            右腰電圧電極
ＤＥ３            左腰電圧電極
ＤＩ３，ＤＩ４    電流電極
ＤＥ４，ＤＥ５    電圧電極        
【図１】
2006271745.tif 000003
【図２】
2006271745.tif 000004
【図３】
2006271745.tif 000005
【図４】
2006271745.tif 000006
【図５】
2006271745.tif 000007
【図６】
2006271745.tif 000008
【図７】
2006271745.tif 000009
【図８】
2006271745.tif 000010